(57)【特許請求の範囲】
【請求項１】
横向きの本管から上向きの枝管が分岐され、この枝管に継手を介して消火栓を接合するようにした消火栓用分岐管であって、
前記枝管の口径を前記消火栓の吸水部の口径よりも大きく形成するとともに、前記枝管の肉厚を前記消火栓の吸水部の口径に対応した管の肉厚よりも厚く形成し、かつ前記枝管と消火栓の吸水部とを径違い継手によって互いに接合し、
径違い継手は、枝管の上端に形成されたフランジと吸水部の下端に形成されたフランジとの上下間に挟まれた蓋であり、
吸水部は蓋に形成された開口によって枝管に連通し、
吸水部のフランジは蓋に着脱自在に取り付けられ、
枝管のフランジと蓋とが締結具によって着脱自在に締結され、
締結具は吸水部のフランジの外周端よりも径方向外側にあることを特徴とする消火栓用分岐管。
【発明の詳細な説明】
【技術分野】
【０００１】
本発明は消火栓用分岐管に関する。
【背景技術】
【０００２】
水道管には、消火栓が設置されることがある。この消火栓の設置部においては、地中において横向きに設置された本管から上向きの枝管が分岐され、この枝管に継手を介して消火栓が接合される構成が一般的である（特許文献１）。このような枝管を備えた消火栓用分岐管が、水道管路の一部を構成する。
【０００３】
以下、図２を参照して、従来の消火栓用分岐管について説明する。ここで１はダクタイル鋳鉄製の本管であり、横向きに配管されるように構成され、その一端に受口２を有するとともに他端に挿口３を有し、これら受口２および挿口３によって他の管と接合される。本管１から上向きの枝管４が分岐されており、この枝管４は、本管１と一体に鋳造された構成である。枝管４の上端にはフランジ継手５が形成されている。
【０００４】
このフランジ継手５を介して、図示を省略した消火栓の下端の吸水部が接合されるように構成されている。規格により、消火栓の吸水部の口径はたとえば７５ｍｍとされており、フランジ継手５もその口径のものが形成され、枝管４もそれに応じた口径および肉厚で形成されている。これに対し、本管１は、通常は枝管４よりも口径が大きく、その口径がたとえば１００ｍｍ以上かつ数百ｍｍ以下であり、またその口径に応じた肉厚すなわち枝管４よりも大きな肉厚で形成されている。
【特許文献１】特開平４−２６６６９２号公報
【発明の開示】
【発明が解決しようとする課題】
【０００５】
消火栓は相応の大きな質量を有するものであるが、このような大きな質量を有する消火栓が、その吸水部の規格に対応した７５ｍｍ程度の細い上向きの枝管４の上に乗せられた構成となっている。
【０００６】
このため、地震の発生時になどにおいて枝管４に無理な力が掛かりやすいという課題がある。また本管１を含む水道管路の内部のメンテナンスを行う際には、枝管４から消火栓を取り外したうえで、本管１の内部に管内カメラなどを挿入して検査することが行われているが、上記のように枝管４の口径が小さく細いため、その挿入作業が容易でないという課題もある。
【０００７】
そこで本発明は、このような課題を解決して、地震の発生時などにおいて枝管に無理な力がかかることを防止できるようにするとともに、枝管を通しての本管内への各種機器の挿入を容易に行えるようにすることを目的とする。
【課題を解決するための手段】
【０００８】
上記の目的を達成するため本発明は、横向きの本管から上向きの枝管が分岐され、この枝管に継手を介して消火栓を接合するようにした消火栓用分岐管であって、
前記枝管の口径を前記消火栓の吸水部の口径よりも大きく形成するとともに、前記枝管の肉厚を前記消火栓の吸水部の口径に対応した管の肉厚よりも厚く形成し、かつ前記枝管と消火栓の吸水部とを径違い継手によって互いに接合し、
径違い継手は、枝管の上端に形成されたフランジと吸水部の下端に形成されたフランジとの上下間に挟まれた蓋であり、
吸水部は蓋に形成された開口によって枝管に連通し、
吸水部のフランジは蓋に着脱自在に取り付けられ、
枝管のフランジと蓋とが締結具によって着脱自在に締結され、
締結具は吸水部のフランジの外周端よりも径方向外側にあるものである。
【発明の効果】
【０００９】
したがって本発明によれば、枝管の口径を消火栓の吸水部の口径よりも大きく形成するとともに、枝管の肉厚を消火栓の吸水部の口径に対応した管の肉厚よりも厚く形成したため、枝管を、規格通りの消火栓に接合可能でありながら強度の高いものとすることができ、したがって地震の発生時などにおいて枝管に無理な力が掛かることを防止できる。また、このように枝管の口径を消火栓の吸水部の口径よりも大きく形成したにもかかわらず、枝管と消火栓の吸水部とを径違い継手として構成される蓋によって互いに接合したため、両者の接合を支障なく行うことができる。しかも、枝管の口径を大きくしたことで、この枝管から消火栓を取り外したうえでの本管内への管内検査機器などの挿入を容易に行うことができる。
【発明を実施するための最良の形態】
【００１０】
図１は、本発明の実施の形態の消火栓用分岐管を示す。ここで、１はダクタイル鋳鉄製の本管であり、一端に受口２を有するとともに他端に挿口３を有した構成であって、たとえば地中に設置されて横方向に配置されるものである。本管１から上向きに枝管１１が分岐されており、この枝管１１は、本管１と一体に鋳造されている。枝管１１の上端にはフランジ１２が形成されており、このフランジ１２を利用して蓋１３が取り付けられている。１４は、取付け用のボルト・ナットなどの締結具である。蓋１３の中央には開口１５が形成されている。また、蓋１３を利用して、消火栓における管状の吸水部１６のフランジ１７が取り付けられている。１８は、取付け用のボルト・ナットなどの締結具である。消火栓の吸水部１６は、蓋１３の開口１５によって枝管１１に連通している。
【００１１】
消火栓の吸水部１６は、規格により、たとえば口径７５ｍｍに形成されており、その管厚もそれに対応して薄く形成されている。フランジ１７も、吸水部１６の口径に対応した小さなものである。
【００１２】
これに対し、枝管１１は、吸水部１６よりも大きな口径で、具体的には、上記の吸水部１６の７５ｍｍよりも大きな、たとえば１５０ｍｍの口径で形成されている。本管１は、上述のように、たとえば１００ｍｍ以上かつ数百ｍｍ以下の口径である。そして枝管１１の肉厚は、その口径に対応した肉厚、あるいは枝管１１よりも口径の大きな本管１と同程度の肉厚となるようにされている。
【００１３】
このような構成であると、枝管１１は、その口径および肉厚が消火栓の吸水部１６の口径および肉厚よりも大きいため、その断面係数が大きく、したがって強度の高いものとなる。また地震などの際に大きな力が作用した場合において、万一損傷が起こるとしても、消火栓あるいは蓋１３の方が破損しやすく、これらの方が先に破損するため、枝管１１および本管１の損傷を避けることができる。
【００１４】
また、枝管１１の口径を消火栓の吸水部１６の口径よりも大きく形成したにもかかわらず、枝管１１と消火栓の吸水部１６とを、径違い継手として構成される蓋１３によって互いに接合したため、両者の接合を支障なく行うことができる。
【００１５】
枝管１１の口径を大きくしたことで、この枝管１１から消火栓を取り外したうえでの本管１内への管内検査機器などの挿入を容易に行うことができる。
【図面の簡単な説明】
【００１６】
【図１】本発明の実施の形態の消火栓用分岐管の断面図である。
【図２】従来の消火栓用分岐管の断面図である。
【符号の説明】
【００１７】
１    本管
１１    枝管
１３    蓋
１６    吸水部
【図１】
0004794304.tif 000002
【図２】
0004794304.tif 000003